(57)【要約】      （修正有）【課題】液体の有機ハイドライドと酸化剤ガスを用いて発電する燃料電池の電解質膜の含水率を適切に保つ。【解決手段】燃料電池システム２００は、液体の有機ハイドライドと酸化剤ガスを用いて発電する燃料電池１００と、燃料電池に液体の有機ハイドライドを供給する供給器１１と、燃料電池に酸化剤ガスを供給する酸化剤ガス供給器９と、燃料電池に供給される酸化剤ガスを加湿する加湿器１０と、燃料電池から排出されるオフ酸化剤ガスが流れるガス流路４と、ガス流路に設けられた弁８と、燃料電池の出力電流に応じて弁の開度を調整する制御器５０と、を備える。【選択図】図１
2019186160.tif 000002
【特許請求の範囲】
【請求項１】
液体の有機ハイドライドと酸化剤ガスを用いて発電する燃料電池と、
前記燃料電池に液体の有機ハイドライドを供給する供給器と、
前記燃料電池に酸化剤ガスを供給する酸化剤ガス供給器と、
前記燃料電池に供給される酸化剤ガスを加湿する加湿器と、
前記燃料電池から排出されるオフ酸化剤ガスが流れるガス流路と、
前記ガス流路に設けられた弁と、
前記燃料電池の出力電流に応じて前記弁の開度を調整する制御器と、
を備える燃料電池システム。
【請求項２】
前記制御器は、前記燃料電池の出力電流が増加すると、前記弁の開度を小さくする請求項１に記載の燃料電池システム。
【請求項３】
前記制御器は、前記燃料電池の出力電流が減少すると、前記弁の開度を大きくする請求項１または２に記載の燃料電池システム。
【請求項４】
前記燃料電池の入口の酸化剤ガスの露点が、前記燃料電池の運転温度よりも大きくなるよう前記加湿器で酸化剤ガスを加湿する請求項１−３のいずれか１項に記載の燃料電池システム。
【発明の詳細な説明】
【技術分野】
【０００１】
本開示は燃料電池システムに関する。
【背景技術】
【０００２】
石炭、石油などの化石燃料の枯渇、ＣＯ２による地球温暖化が問題視されているので、近年、化石燃料に依存しないエネルギー社会を目指す取り組みが活発に行われている。このような取り組みの一つとして、燃料電池システムの開発が進められている。
【０００３】
燃料電池システムでは、燃料電池のアノードに水素（Ｈ２）が供給されると、アノードでは、水素が触媒層上で電子を遊離してプロトン（Ｈ＋）となる。このとき、プロトンは電解質膜を通過して、燃料電池のカソードに移動する一方、電子は外部負荷を通過してカソードに移動する。カソードでは、酸化剤ガスが供給され、プロトンおよび電子と酸化剤ガス中の酸素（Ｏ２）との反応が生じて水が発生する。このようにして、燃料電池システムで発電が行われる。
【０００４】
以上の水素ガスを燃料とする燃料電池システムは、すでに商用化されているが、水素ガスは、常温常圧状態では希薄な気体である故、液体燃料に比べて保管、運搬などの取り扱いが不便である。
【０００５】
そこで、気体に比べてエネルギー密度が高い液体の有機ハイドライド（以下、有機ハイドライド液体という場合がある）を充填したタンクを備える燃料電池システムが提案されている（例えば、非特許文献１参照）。
【０００６】
ここで、固体高分子形燃料電池（以下、ＰＥＦＣ）の場合、電解質膜の加湿が不十分であると、電解質膜のプロトン伝導性が低下する可能性がある。ところが、タンク内のＭＣＨなどの有機ハイドライドは、非極性物質であるので、水などの極性物質とは混ざりにくい。そこで、非特許文献１では、有機ハイドライド液体を気化器により気化する構成、および、気化器からの有機ハイドライドガスと水蒸気とを混合した状態で混合ガスをＰＥＦＣのアノードに供給する構成が開示されている。
【先行技術文献】
【非特許文献】
【０００７】
【非特許文献１】Kariya N. et al, Chem. Commun. 2003, 690
【発明の概要】
【発明が解決しようとする課題】
【０００８】
しかし、従来例は、液体の有機ハイドライドを燃料電池に供給する場合に、燃料電池の電解質膜の含水率を適切に保つことについては検討されていない。
【０００９】
本開示の一態様（aspect）は、このような事情に鑑みてなされたものであり、液体の有機ハイドライドを燃料電池に供給する場合でも、燃料電池の電解質膜の含水率低下を従来よりも軽減し得る燃料電池システムを提供する。
【課題を解決するための手段】
【００１０】
上記課題を解決するため、本開示の一態様の燃料電池システムは、液体の有機ハイドライドと酸化剤ガスを用いて発電する燃料電池と、前記燃料電池に液体の有機ハイドライドを供給する供給器と、前記燃料電池に酸化剤ガスを供給する酸化剤ガス供給器と、前記燃料電池に供給される酸化剤ガスを加湿する加湿器と、前記燃料電池から排出されるオフ酸化剤ガスが流れるガス流路と、前記ガス流路に設けられた弁と、前記燃料電池の出力電流に応じて前記弁の開度を調整する制御器と、を備える。
【発明の効果】
【００１１】
本開示の一態様の燃料電池システムは、液体の有機ハイドライドを燃料電池に供給する場合でも、燃料電池の電解質膜の含水率低下を従来よりも軽減し得るという効果を奏する。
【図面の簡単な説明】
【００１２】
【図１】図１は、実施形態の燃料電池システムの一例を示す図である。
【発明を実施するための形態】
【００１３】
液体の有機ハイドライドを燃料電池に供給する場合に、燃料電池の電解質膜の含水率を適切に保つために鋭意検討が行われ、以下の知見が得られた。
【００１４】
燃料電池では、電解質膜で高プロトン伝導度を得るように電解質膜を湿潤状態に保つ必要がある。そこで、従来から、燃料電池に供給するアノードガスおよびカソードガスをそれぞれ、例えば、加湿器により予め加湿する構成を取ることが多い。例えば、加湿器の温度を制御することで、アノードガスおよびカソードガスに含有する水分量を調節することができる。
【００１５】
このようにして、燃料電池の電解質膜の水管理が従来から適切に行われている。
【００１６】
ところが、燃料電池のアノードに有機ハイドライド液体を供給する場合、燃料電池のアノード側から水分を供給できないので、燃料電池のアノード側で電解質膜の含水率が低下しやすい。
【００１７】
また、燃料電池の発電中、燃料電池のアノードで発生したプロトンと、例えば、燃料電池のアノード側に存在する一つの水分子とが水素結合することで、Ｈ３Ｏ＋イオンが形成される。すると、Ｈ３Ｏ＋イオンは、電解質膜を通ってカソード側に移動する（電気浸透）。つまり、かかる電気浸透の過程において、燃料電池のアノード側に存在する水がプロトンに同伴してカソードに移動するので、燃料電池の出力電流が増加する程、燃料電池のアノード側で電解質膜の含水率がさらに低下する。
【００１８】
そして、燃料電池のアノード側で電解質膜の含水率が低下すると、電解質膜のプロトン伝導度が悪化する恐れがある。
【００１９】
ところで、電解質膜の水の流量（移動量）は、以下の式（１）で定式化される。
【００２０】
【数１】
2019186160.tif 000003
【００２１】
式（１）において、右辺第１項は、電解質膜のプロトン伝導に伴って発生する電気浸透水の流量(ｊＥＯＤ)を表している。また、右辺第２項は、燃料電池のアノードおよびカソード間の化学ポテンシャルの差（化学ポテンシャル勾配）によって発生する水の透過流量(ｊＰ)を表している。つまり、電解質膜の水の移動量は、前者の電気浸透水の流量(ｊＥＯＤ)と後者の水の透過流量(ｊＰ)との間のバランスにより決定される。そして、化学ポテンシャルは圧力依存性（例えば、比例関係）を有するので、後者の水の透過流量(ｊＰ)を支配する化学ポテンシャル勾配は、燃料電池のアノードおよびカソード間の圧力差に依存（例えば、比例）する。
【００２２】
発明者らは、以上のような視点から、燃料電池のカソードおよびアノード間の圧力差を変化させることで、燃料電池のカソードからアノードに移動する水の透過流量(ｊＰ)を制御できることを見出し、以下の本開示の一態様に想到した。例えば、燃料電池のアノード側の圧力を固定して、燃料電池のカソード側の圧力を上昇させると、燃料電池のカソードからアノードに移動する水の透過流量(ｊＰ)が増えるので、燃料電池のアノード側で電解質膜の含水率が低下することを軽減できる。
【００２３】
すなわち、本開示の第１態様の燃料電池システムは、液体の有機ハイドライドと酸化剤ガスを用いて発電する燃料電池と、燃料電池に液体の有機ハイドライドを供給する供給器と、燃料電池に酸化剤ガスを供給する酸化剤ガス供給器と、燃料電池に供給される酸化剤ガスを加湿する加湿器と、燃料電池から排出されるオフ酸化剤ガスが流れるガス流路と、ガス流路に設けられた弁と、燃料電池の出力電流に応じて弁の開度を調整する制御器と、を備える。
【００２４】
かかる構成によると、本態様の燃料電池システムは、液体の有機ハイドライドを燃料電池に供給する場合でも、燃料電池の含水率低下を従来よりも軽減し得る。つまり、制御器が、燃料電池の出力電流に応じて弁の開度を調整することで、燃料電池のカソードおよびアノード間の圧力差が変更されるので、燃料電池のカソードからアノードに移動する水の透過流量(ｊＰ)を適切に制御できる。すると、このような電解質膜の水の移動により燃料電池のアノード側の電解質膜の含水率低下を適切に補うことができる。
【００２５】
例えば、燃料電池の出力電流の増減に伴い、燃料電池のアノード側の圧力を固定させた状態で、弁の開度調整により燃料電池のカソード側の圧力を上下させる。すると、燃料電池のカソードからアノードに移動する水の透過流量(ｊＰ)が増減するので、燃料電池のアノード側で電解質膜の含水率が低下することを適切に軽減できる。一例として、燃料電池のカソードからアノードに移動する水の透過流量(ｊＰ)が電気浸透水の流量(ｊＥＯＤ)よりも大きくなるように（ｊＰ＞ｊＥＯＤ)、弁の開度を調整してもよい。
【００２６】
このようにして、本態様の燃料電池システムは、燃料電池のアノード側の電解質膜の含水率低下に起因する電解質膜のプロトン伝導度の悪化を適切に抑制することができる。
【００２７】
さらに、本態様の燃料電池システムは、有機ハイドライドを用いて燃料電池により発電するとき、気化器などが不要になるので、非特許文献１に記載された発明と比べて装置構成を簡素化できる。
【００２８】
本開示の第２態様の燃料電池システムは、第１態様の燃料電池システムにおいて、制御器は、燃料電池の出力電流が増加すると、弁の開度を小さくしてもよい。
【００２９】
燃料電池の出力電流が増加すると、電気浸透水の流量(ｊＥＯＤ)が増える。この場合、本態様の燃料電池システムは、弁の小開度制御により燃料電池のカソード側の圧力を上昇させることで燃料電池のカソードからアノードに移動する水の透過流量(ｊＰ)を増やすことができる。これにより、燃料電池のアノード側で電解質膜の含水率が低下することを効果的に軽減できる。
【００３０】
本開示の第３態様の燃料電池システムは、第１態様および第２態様の燃料電池システムにおいて、制御器は、燃料電池の出力電流が減少すると、弁の開度を大きくしてもよい。
【００３１】
燃料電池の出力電流が減少すると、電気浸透水の流量(ｊＥＯＤ)が減少する。この場合、本態様の燃料電池システムは、弁の大開度制御により燃料電池のカソード側の圧力を低下させることで燃料電池のカソードからアノードに移動する水の透過流量(ｊＰ)を減らすことができる。これにより、燃料電池のアノード側で水が過剰にならない制御を行うことができる。
【００３２】
本開示の第４態様の燃料電池システムは、第１態様から第３態様のいずれか一つの燃料電池システムにおいて、燃料電池の入口の酸化剤ガスの露点が、燃料電池の運転温度よりも大きくなるよう加湿器で酸化剤ガスを加湿してもよい。
【００３３】
かかる構成によると、本態様の燃料電池システムは、燃料電池の電解質膜を十分な湿潤状態に維持し得るように、燃料電池に供給する酸化剤ガスを適切に加湿することができる。
【００３４】
以下、本開示の実施形態について、図面を参照しながら具体的に説明する。なお、以下で説明する実施形態は、いずれも包括的または具体的な例を示すものである。よって、以下の実施形態で示される数値、形状、材料、構成要素、構成要素の配置位置および接続形態などは、一例であり、本開示を限定する主旨ではない。また、以下の実施形態における構成要素のうち、最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状および寸法比などについては正確な表示ではない場合がある。
【００３５】
（実施形態）
図１は、実施形態の燃料電池システムの一例を示す図である。
【００３６】
図１に示す例では、燃料電池システム２００は、燃料電池１００と、酸化剤ガス供給器９と、加湿器１０と、供給器１１と、ガス流路４と、弁８と、制御器５０と、を備える。ここで、燃料電池１００は、電解質膜５と、アノードＡＮと、カソードＣＡと、を備える。
【００３７】
なお、本実施形態の燃料電池システム２００では、燃料電池１００が容器内を区画するように配置されている。そして、容器のアノードＡＮ側の領域が、有機ハイドライド液体が通過するアノード室６を構成し、容器のカソードＣＡ側の領域が、酸化剤ガスが通過するカソード室７を構成している。
【００３８】
但し、かかる構成は例示であって、本例に限定されない。
【００３９】
電解質膜５は、プロトン伝導性を備える電解質膜であれば、どのような構成であってもよい。電解質膜５として、例えば、高分子電解質膜などを挙げることができる。高分子電解質膜の素材としては、例えば、スルフォン基、リン酸基などの強酸基、カルボキシル基などの弱酸基などの極性基を備える有機高分子材料を用いることができる。具体的には、スルフォン化ポリ（４−フェノキシベンゾイル−１，４−フェニレン）、スルフォン基含有パーフルオロカーボンなどを挙げることができる。後者は、Ｎａｆｉｏｎ（登録商標、デュポン社製）として商品化されている。
【００４０】
アノードＡＮは、電解質膜５の一方の主面に設けられている。アノードＡＮは、有機ハイドライド液体中の水素を酸化する触媒を含む電極である。アノードＡＮは、このような触媒を含む電極であれば、どのような構成であってもよい。かかる触媒の触媒金属として、例えば、Ｐｔ、Ｐｄ、Ｒｕ、Ｒｈ、Ｉｒ、Ａｕ、Ａｇ、Ｎｉ、Ｆｅ、Ｃｕなどの触媒金属、これらの組み合わせ、あるいは、これらの酸化物、窒化物などの組み合わせを用いることができるが、これらに限定されない。触媒の担体としては、例えば、カーボンなどを挙げることができる。アノードＡＮは、有機ハイドライド液体を拡散させるための拡散層を備えてもよい。アノードＡＮが、このような拡散層を備える場合は、かかる拡散層は、多孔性かつ導電性を備える。なお、拡散層を構成する材料の表面の適所に撥水処理が施されていてもよい。これにより、拡散層から効率良く水を排水し得るので、拡散層のフラッディング発生を抑制することができる。
【００４１】
カソードＣＡは、電解質膜５の他方の主面に設けられている。カソードＣＡは、プロトンを還元する触媒を含む電極である。カソードＣＡは、このような触媒を含む電極であれば、どのような構成であってもよい。かかる触媒の触媒金属として、例えば、Ｐｔを用いることができるが、これに限定されない。触媒の担体としては、例えば、カーボンなどを挙げることができる。カソードＣＡは、酸化剤ガスを拡散させるためのガス拡散層を備えてもよい。カソードＣＡが、このようなガス拡散層を備える場合は、かかるガス拡散層は、多孔性かつ導電性を備える。なお、ガス拡散層を構成する材料の表面の適所に撥水処理が施されていてもよい。これにより、ガス拡散層から効率良く水を排水し得るので、ガス拡散層のフラッディング発生を抑制することができる。
【００４２】
供給器１１は、燃料電池１００に有機ハイドライド液体を供給する装置である。本例では、供給器１１により、燃料電池１００のアノードＡＮが設けられたアノード室６に有機ハイドライド液体が供給されている。
【００４３】
供給器１１は、燃料電池１００に有機ハイドライド液体を供給することができれば、どのような構成であってもよい。供給器１１として、例えば、容積式ポンプを用いることができるが、これに限定されない。
【００４４】
有機ハイドライド（水素化芳香族化合物）は、芳香族化合物に水素が結合することによって、水素を貯蔵した状態にある化合物である。「有機ハイドライド（水素化芳香族化合物）」とは、芳香族化合物の全ての炭素−炭素二重結合に水素が付加された化合物であり、分子内に炭素−炭素不飽和結合を含まない。
【００４５】
芳香族化合物は、単環芳香族化合物であってもよいし、多環芳香族化合物であってもよい。単環芳香族化合物はベンゼンおよびベンゼンに極性官能基がついたフェノール、ベンジルアルコール、Ｏ−クレゾール、ｍ−クレゾール、ｐ−クレゾール、シクロヘキサンカルボキシアルデヒドなどを含む。多環芳香族化合物は１−ナフトール、２−ナフトール、２−アントラセノール、９−アントロールなどを含む。
【００４６】
水素化芳香族化合物としては、特に限定されないが、例えば、シクロヘキサン、メチルシクロヘキサン、ジメチルシクロヘキサンなどの単環式水素化芳香族類、テトラリン、デカリン、メチルデカリンなどの２環式水素化芳香族類、テトラデカヒドロアントラセンなどの３環式水素化芳香族類などを挙げることができる。特にメチルシクロヘキサン、テトラリンなどが好適に用いられる。
【００４７】
なお、有機ハイドライド液体には、メディエータとして機能する物質が混合されていてもよい。かかる物質として、例えば、2,3-ジクロロ-5,6-ジシアノ-p-ベンゾキノン（ＤＤＱ）、クロラニル、ベンゾキノンなどのキノン系メディエータ類、フェロセン、テトラチアフルバレンなどを挙げることができるが、これらに限定されない。
【００４８】
酸化剤ガス供給器９は、燃料電池１００に酸化剤ガスを供給する装置である。本例では、酸化剤ガス供給器９により、燃料電池１００のカソードＣＡが設けられたカソード室７に酸化剤ガスが供給されている。
【００４９】
酸化剤ガス供給器９は、燃料電池１００に酸化剤ガスを供給できれば、どのような構成であってもよい。酸化剤ガス供給器９として、例えば、容積式ブロア、マスフローコントローラなどを用いることができるが、これらに限定されない。酸化剤ガスとして、例えば、空気、酸素（Ｏ２）、酸素と不活性ガス（窒素、アルゴンなど）との混合ガスなどを挙げることができるが、これらに限定されない。
【００５０】
加湿器１０は、燃料電池１００に供給される酸化剤ガスを加湿する装置である。加湿器１０は、燃料電池１００に供給される酸化剤ガスを加湿できれば、どのような構成であってもよい。加湿器１０は、例えば、バブリング方式の加湿装置であってもよいし、酸化剤ガスと水蒸気とを混合する装置であってもよい。前者の場合、図示を省略するが、加湿器１０は、酸化剤ガス経路に設けられたバブリングタンク、バブリングタンク内の水を加熱する加熱器、および、バブリングタンク内の水温を検知する温度検知器などを備える。
【００５１】
なお、燃料電池１００の電解質膜５を十分な湿潤状態に維持し得るように、燃料電池１００の入口（カソード室７の入口）の酸化剤ガスの露点が、燃料電池１００の運転温度よりも大きくなるよう加湿器１０で酸化剤ガスを加湿する方が望ましい。例えば、加湿器１０がバブリング方式の加湿装置である場合、バブリングタンク内の水温を、燃料電池１００の運転温度よりも高くすることで、上記の酸化剤ガスの露点を燃料電池１００の運転温度よりも大きくすることができる。
【００５２】
ガス流路４は、燃料電池１００から排出されるオフ酸化剤ガスが流れる流路である。具体的には、酸化剤ガス供給器９によりカソード室７に供給された酸化剤ガスのうち、燃料電池１００の発電に使用されなかった酸化剤ガス（オフ酸化剤ガス）が、ガス流路４を通じてカソード室７の外部（例えば、大気中）に排出されている。
【００５３】
弁８は、ガス流路４に設けられている。弁８として、例えば、任意の開度をとることのできる電磁弁などを挙げることができるが、これに限定されない。
【００５４】
制御器５０は、燃料電池１００の出力電流に応じて弁８の開度を調整する。例えば、制御器５０は、外部負荷の消費電力の増減により、燃料電池１００の出力電流を変更すると、この出力電流に応じて弁８の開度を調整する。
【００５５】
制御器５０は、例えば、燃料電池１００の出力電流が増加すると、弁８の開度を小さくする。すると、ガス流路４の圧力損失が大きくなるので、燃料電池１００のカソードＣＡ側の圧力（カソード室７の圧力）が上がる。
【００５６】
制御器５０は、例えば、燃料電池１００の出力電流が減少すると、弁８の開度を大きくする。すると、ガス流路４の圧力損失が小さくなるので、燃料電池１００のカソードＣＡ側の圧力（カソード室７の圧力）が下がる。
【００５７】
なお、図示を省略するが、燃料電池システム２００は、カソード室７の圧力を計測する圧力計を備えてもよい。これにより、制御器５０は、圧力計の計測データに基づいて、カソード室７の圧力が所望の圧力となるようにフィードバック制御できる。
【００５８】
制御器５０は、制御機能を有するものであれば、どのような構成であってもよい。制御器５０は、例えば、演算回路（図示せず）と、制御プログラムを記憶する記憶回路（図示せず）と、を備える。演算回路として、例えば、ＭＰＵ、ＣＰＵなどを挙げることができる。記憶回路として、例えば、メモリなどを挙げることができる。制御器５０は、集中制御を行う単独の制御器で構成されていてもよいし、互いに協働して分散制御を行う複数の制御器で構成されていてもよい。
【００５９】
以上のとおり、本実施形態の燃料電池システム２００は、液体の有機ハイドライドを燃料電池１００に供給する場合でも、燃料電池１００の含水率低下を従来よりも軽減し得る。つまり、制御器５０が、燃料電池１００の出力電流に応じて弁８の開度を調整することで、燃料電池１００のカソードＣＡおよびアノードＡＮ間の圧力差が変更されるので、燃料電池１００のカソードＣＡからアノードＡＮに移動する水の透過流量(ｊＰ)を適切に制御できる。すると、このような電解質膜５の水の移動により燃料電池１００のアノードＡＮ側の電解質膜５の含水率低下を適切に補うことができる。
【００６０】
例えば、燃料電池１００の出力電流の増減に伴い、燃料電池１００のアノードＡＮ側の圧力を固定させた状態で、弁８の開度調整により燃料電池１００のカソードＣＡ側の圧力（カソード室７の圧力）を上下させる。すると、燃料電池のカソードＣＡからアノードＡＮに移動する水の透過流量(ｊＰ)が増減するので、燃料電池１００のアノードＡＮ側で電解質膜５の含水率が低下することを適切に軽減できる。一例として、燃料電池１００のカソードＣＡからアノードＡＮに移動する水の透過流量(ｊＰ)が電気浸透水の流量(ｊＥＯＤ)よりも大きくなるように（ｊＰ＞ｊＥＯＤ)、弁８の開度を調整してもよい。
【００６１】
このようにして、本実施形態の燃料電池システム２００は、燃料電池１００のアノードＡＮ側の電解質膜５の含水率低下に起因する電解質膜５のプロトン伝導度の悪化を適切に抑制することができる。
【００６２】
具体的には、燃料電池１００の出力電流が増加すると、電気浸透水の流量(ｊＥＯＤ)が増える。この場合、本実施形態の燃料電池システム２００は、弁８の小開度制御により燃料電池１００のカソードＣＡ側の圧力を上昇させることで燃料電池１００のカソードＣＡからアノードＡＮに移動する水の透過流量(ｊＰ)を増やすことができる。これにより、燃料電池１００のアノードＡＮ側で電解質膜５の含水率が低下することを効果的に軽減できる。
【００６３】
逆に、燃料電池１００の出力電流が減少すると、電気浸透水の流量(ｊＥＯＤ)が減少する。この場合、本実施形態の燃料電池システム２００は、弁８の大開度制御により燃料電池１００のカソードＣＡ側の圧力を低下させることで燃料電池１００のカソードＣＡからアノードＡＮに移動する水の透過流量(ｊＰ)を減らすことができる。これにより、燃料電池１００のアノードＡＮ側で水が過剰にならない制御を行うことができる。
【００６４】
さらに、本実施形態の燃料電池システム２００は、有機ハイドライドを用いて燃料電池１００により発電するとき、気化器などが不要になるので、非特許文献１に記載された発明と比べて装置構成を簡素化できる。
【００６５】
上記説明から、当業者にとっては、本開示の多くの改良および他の実施形態が明らかである。従って、上記説明は、例示としてのみ解釈されるべきであり、本開示を実行する最良の態様を当業者に教示する目的で提供されたものである。本開示の精神を逸脱することなく、その構造および／または機能の詳細を実質的に変更できる。
【産業上の利用可能性】
【００６６】
本開示の一態様は、液体の有機ハイドライドを燃料電池に供給する場合でも、燃料電池の電解質膜の含水率低下を従来よりも軽減し得る燃料電池システムに利用することができる。
【符号の説明】
【００６７】
４      ：ガス流路
５      ：電解質膜
６      ：アノード室
７      ：カソード室
８      ：弁
９      ：酸化剤ガス供給器
１０    ：加湿器
１１    ：供給器
５０    ：制御器
１００  ：燃料電池
２００  ：燃料電池システム
ＡＮ    ：アノード
ＣＡ    ：カソード
【図１】
2019186160.tif 000004